(57)【特許請求の範囲】
【請求項１】
入力キー及び生体認証デバイスを備えた入力装置の表面に対して取り付け可能で、当該生体認証デバイスに対する認証位置を案内するガイド枠を備えたガイド部材であって、
前記ガイド部材は、前記ガイド枠を前記入力装置の表面に対して取り付ける第１の枠体、前記第１の枠体に隣接して上部に指ガイドを備える第２の枠体、前記第１の枠体に隣接して上部に手首ガイドを備える第３の枠体、及び前記第１の枠体に対向する第４の枠体を備え、
前記第１の枠体が前記入力装置の表面に取り付けられた状態で、前記第２の枠体は前記入力装置の表面の上に設置され、前記第３の枠体は前記入力装置が置かれた面に脚部によって設置されるガイド部材。
【請求項２】
前記脚部の前記面に対する接地部分に角度が付されており、前記入力装置がキーボードである場合に、前記キーボードの表面の前記面に対する角度がチルト足で変化しても、前記手首ガイド部上に手首が置かれた場合の強度を確保することを特徴とする請求項１に記載のガイド部材。
【請求項３】
前記ガイド枠は、前記第１の枠体が前記入力キーのキーとキーの間の隙間に挿入できる厚さを備えた板状部材で形成されており、前記第１の枠体はその下部が前記隙間に挿入されて前記入力装置の表面に取り付けられるものであり、
前記板状部材が厚紙であり、前記ガイド枠は前記厚紙を折り曲げて組み立てることによって形成されることを特徴とする請求項２に記載のガイド部材。
【請求項４】
前記厚紙には光の反射の少ない色の厚紙が使用され、前記手首ガイドを備える前記第３の枠体には、前記手首ガイド組立時に露出する前記厚紙の端面を前記生体認証デバイス側から見えなくする遮蔽板が設けられていることを特徴とする請求項３に記載のガイド部材。
【請求項５】
前記ガイド部材は、前記ガイド枠を構成する前記第１から第４の枠体、前記手首ガイド板及び前記遮蔽板が、１枚の厚紙を打ち抜き型で打ち抜いて形成されており、所定部分を折り曲げて重ね合わせることが可能になっていることを特徴とする請求項４に記載のガイド部材。
【発明の詳細な説明】
【技術分野】
【０００１】
本出願は、入力キー及び生体認証デバイスを備えた入力装置の表面に取り付け可能で、生体認証デバイスに対する手のひらの認証位置を案内するガイド部材に関する。
【背景技術】
【０００２】
従来、手のひらの静脈等の生体認証を行う撮像装置である生体認証デバイスは、認証を行う手のひらとの間に所定の間隔が必要である。このため、認証時に生体認証デバイスから所定距離離れた正しい位置に手をかざすことが難しいお客さまに対して、正しい位置に手をかざす補助部材として、ガイド部材が提供されていた。
【０００３】
図１は、生体認証デバイス１が独立した認証装置２に搭載され、この認証装置２がコンピュータ等の画像解析装置に接続されて使用される場合に提供されるガイド部材３の一例を示す斜視図である。ガイド部材３のベース板４には、認証装置２を受け入れるための孔５が中央部にあり、先端部側には指を乗せる指保持部６、後端部側に手首を乗せる手首保持部７がある。認証時にはガイド部材３が認証装置２の上に置かれ、孔５に認証装置２が受け入れられた状態で、指保持部６と手首保持部７に手が置かれる。このような従来のガイド部材３は、指保持部６と手首保持部７の上に手のひらを乗せても強度的に問題ないように、成形したプラスチック材料で作られている。
【０００４】
また、特許文献１には、撮像部（生体認証デバイス）を備えた支持部材の上に、生体認証デバイスに対する人の手の位置を安定させるために、生体認証デバイスの上部にガイド部材を設けることが開示されている。
【先行技術文献】
【特許文献】
【０００５】
【特許文献１】特開２００９−１８９４４６号公報
【発明の概要】
【発明が解決しようとする課題】
【０００６】
ところが、図１に示したガイド部材及び特許文献１に開示のガイド部材は、何れも独立した認証装置に対して使用されるものであり、生体認証デバイスに加えて入力キーを備えた入力装置に対しては使用できず、手の位置を安定させることができなかった。
【０００７】
また、図１に示したガイド部材は金型で作製されるため、高い金型製作費用と長い開発期間が必要であった。そして、ガイド部材を生体認証デバイスに加えて入力キーを備えた入力装置に付属品として添付すると、出荷時にガイド部材のスペースが必要であり、無駄な梱包部材が必要になるなどの追加費用が発生していた。また、出荷後に、ガイド部材を使用しないユーザーには、ガイド部材が邪魔になるという課題もあった。
【０００８】
１つの側面では、本出願は、入力キーと生体認証デバイスを備えた入力装置に対する認識精度を向上させることができるガイド部材を提供することを目的とする。
【０００９】
他の側面では、入力キーと生体認証デバイスを備えた入力装置に添付してもスペースをとらず、無駄な梱包部材も必要なく、不使用時には邪魔にならずに収納することが可能なガイド部材を提供することを目的としている。
【課題を解決するための手段】
【００１０】
１つの態様によれば、入力キー及び生体認証デバイスを備えた入力装置の表面に対して取り付け可能で、当該生体認証デバイスに対する認証位置を案内するガイド枠を備えたガイド部材が提供される。
【図面の簡単な説明】
【００１１】
【図１】生体認証デバイスを備えた独立した認証装置と、この認証装置に使用されるガイド部材の一例を示す斜視図である。
【図２】（ａ）は本出願の第１の実施例のガイド部材の平面図、（ｂ）は（ａ）に示したガイド部材を収納用に折畳んだ状態を示す平面図である。
【図３】（ａ）は図２（ａ）に示したガイド部材を変形させてガイド枠を形成する手順を示す組立斜視図、（ｂ）は（ａ）の手順によりガイド枠が組み上がった状態を示す組立斜視図、（ｃ）は（ｂ）の状態から手首保持部が形成されてガイド枠全体が組み上がった状態を示す斜視図である。
【図４】（ａ）は生体認証デバイスと入力キーを備えた入力装置に、入力キーと入力キーの隙間を利用して図３（ｃ）に示したガイド部材を取り付ける状態を説明する部分斜視図、（ｂ）は（ａ）の状態からガイド部材のガイド枠が入力装置に押し込まれた状態を示す部分斜視図、（ｃ）は図３（ｃ）に示したガイド部材が入力装置に取り付けられた状態を示す部分斜視図である。
【図５】図４（ｃ）に示したガイド部材に手が載せられる状態を示す説明図である。
【図６】入力装置の入力キーに対するガイド部材の取付位置と生体認証デバイスの位置、及びガイド部材に置かれた人の手に対する生体認証デバイスの位置を説明する部分平面図である。
【図７】（ａ）は本出願の第１の実施例のガイド部材の脚部分の部分平面図、（ｂ）は入力装置がチルトしていない時のガイド部材の状態を示す部分斜視図、（ｃ）は入力装置がチルトしている時のガイド部材の状態を示す部分斜視図である。
【図８】本出願の第２の実施例のガイド部材の平面図である。
【図９】図８に示したガイド部材を収納用に折畳んだ状態を示す平面図である。
【図１０】図８に示した第２の実施例のガイド部材が、組立後に別の入力装置に取り付けられた状態を示す部分斜視図である。
【発明を実施するための形態】
【００１２】
以下、添付図面を用いて本出願の実施の形態を、具体的な実施例に基づいて詳細に説明する。
【００１３】
図２（ａ）は本出願の第１の実施例のガイド部材１０の平面図である。本出願のガイド部材１０は板状部材を打ち抜き型で打ち抜いて形成することができるが、本実施例では板状部材として厚紙が使用されている。厚紙を所定の形状に打ち抜くための打ち抜き型のコストは、ガイド部材を金型で成形して樹脂部品とする場合の金型のコストに比べて１０分の１程度で済む。第１の実施例のガイド部材１０は、生体認証デバイスが備えられたキーボードに取り付けて使用することができるものであり、図２（ａ）に示した厚紙を組み立てると第１の実施例のガイド部材１０となる。
【００１４】
第１の実施例のガイド部材１０のガイド枠は、第１の枠体１１、第２の枠体１２、第３の枠体１３及び第４の枠体１４を備えている。第１の枠体１１が入力装置であるキーボードに固定する部分であり、第２の枠体１２には手の指を載せるための指ガイド１２Ｆがあり、第３の枠体１３には手首を載せるための手首ガイド１３Ｗがある。手首ガイド１３Ｗは１枚の厚紙で形成することもできるが、第１の実施例では手首を乗せた時に手首が痛くないように、手首ガイド１３Ｗに幅を持たせている。このため、第３の枠体１３には手首ガイド１３Ｗに隣接させて手首ガイド板１５が設けられている。また、第１の実施例のガイド部材１０には、手首ガイド板１５に隣接させて遮蔽板１６（後述）が設けられている。
【００１５】
第３の枠体１３の手首ガイド板１５と反対側の辺には、支持板１７が第３の枠体１３の一部として設けられている。支持板１７の中央部にはスリットＳ１が設けられており、このスリットＳ１には遮蔽板１６に突設された突片Ｐ１が挿入される。なお、図２（ａ）に示される平面図における実線は厚紙の端部、或いは切り込み部を示しており、破線が厚紙を山折りする山折部Ｍ１〜Ｍ８を示している。従って、手首ガイド板１５が山折部Ｍ３，Ｍ４で山折りされ、支持板１７が山折部Ｍ５で山折りされると、突片Ｐ１の位置にスリットＳ１が来るので、スリットＳ１に突片Ｐ１を挿入できる。
【００１６】
また、支持板１７の両側には突片Ｐ２、Ｐ３が設けられており、第１の枠体１１と第４の枠体１４にはそれぞれスリットＳ２，Ｓ３が設けられている。第１と第４の枠体１１、１４がそれぞれ山折部Ｍ１，Ｍ２で山折りされ、支持板１７が山折部Ｍ５で山折りされると、突片Ｐ２、Ｐ３がそれぞれスリットＳ２、Ｓ３の位置に達するので、突片Ｐ２をスリットＳ２に挿入し、突片Ｐ３をスリットＳ３に挿入できる。
【００１７】
更に、第４の枠体１４の自由端側には接続代１８があり、第４の枠体１４と接続代１８の山折部Ｍ７に細いスリットＳ４が設けられている。山折部Ｍ１とＭ２で第１の枠体１１と第４の枠体１４を第３の枠体１３に対して山折りし、山折部Ｍ６で第２の枠体１２を第１の枠体１１に対して山折りし、山折部Ｍ７とＭ８で接続代１８と突片Ｐ４を山折りすれば、スリットＳ４に突片Ｐ４を挿入できる。
【００１８】
また、第１の実施例のガイド部材１０は、山折部Ｍ１で第１の枠体１１と第２の枠体１２を第３の枠体１３と第４の枠体１４側に山折りし、その後に山折部Ｍ３で手首ガイド板１５と遮蔽板１６を山折りすれば、図２（ｂ）に示す形状になり小型になる。しかも折畳んだ図２（ｂ）に示す形状の第１の実施例のガイド部材１０は厚紙３枚分の厚さしかないのでかさばらずコンパクトになる。
【００１９】
第１の枠体１１と第４の枠体１４の支持板１７に隣接する部分には、第１の実施例のガイド部材１０が組み立てられてキーボードに取り付けられた時に、第１の枠体１１と第４の枠体１４を机上等のキーボードが置かれた面に支持する脚部Ｌ１、Ｌ２がある。脚部Ｌ１、Ｌ２の接地部分には角度が付されている。脚部Ｌ１、Ｌ２の第１の枠体１１と第４の枠体１４からの高さは、支持板１７に隣接する部分の反対側の方が高くなっている。更に、第１の枠体１１の脚部Ｌ１に隣接する部分には、凹部１１Ｒを隔てて突部１１Ｐが設けられている。凹部１１Ｒと突部１１Ｐについては後述する。
【００２０】
次に、図３（ａ）から（ｃ）を用いて図２（ａ）に示した第１の実施例のガイド部材１０を組み立てる手順を説明する。図３（ａ）は図２（ａ）に示した第１の実施例のガイド部材１０を裏面側から見た斜視図であり、一点鎖線は谷折りする谷折部Ｖ１〜Ｖ５を示している。谷折部Ｖ１〜Ｖ５は図２（ａ）に示した山折部Ｍ１〜Ｍ５に対応している。
【００２１】
第３の枠体１３に対して、谷折部Ｖ１で第１の枠体１１を谷折りし、谷折部Ｖ２で第４の枠体１４を谷折りし、谷折部Ｖ５で支持板１７を谷折りすれば、突片Ｐ２をスリットＳ２に、突片Ｐ３をスリットＳ３に挿入することができる。続いて谷折部Ｖ６で第２の枠体１２を谷折りし、山折部Ｍ７で接続代１８を第４の枠体１４に対して山折りすれば、山折部Ｍ８で山折りした突片Ｐ４をスリットＳ４に挿入することができ、図３（ｂ）に示す状態に組み立てることができる。
【００２２】
最後に、図３（ｃ）に示した第１の実施例のガイド部材１０において、谷折部Ｖ３、Ｖ４で手首ガイド板１５の両側を谷折りすれば、突片Ｐ１を支持板１７にあるスリットＳ１に挿入することができ、図３（ｃ）に示す状態となる。この状態では、第１の枠体１１と第４の枠体１４の第２の枠体１２側の端部を遮蔽板１６が覆っているので、第１の枠体１１と第４の枠体１４の第２の枠体１２側の端部は手のひら認証時に生体認証デバイスからは見えない。
【００２３】
厚紙を組み立てて形成された生体認証用のガイド部材１０を用いて生体認証で画像を撮影する際に、反射する光によって生体の認証率が低下する。そこで、厚紙には光の反射の少ない色の厚紙を使用しているが、生体認証デバイスから見た厚紙の切断面は白っぽくなってしまう。このため、生体認証で画像を撮影すると厚紙の端部が輝線となり、認証率の低下の原因となる。そのため、第１の実施例におけるガイド部材１０では、遮蔽板１６によって生体認証デバイス側の厚紙の端面を覆い、生体認証デバイスで撮影した際に切断面が見えないような構造にしている。
【００２４】
図４（ａ）は、生体認証デバイス１と入力キー８を備えた入力装置であるキーボード９に、入力キー８と入力キー８の隙間Ｇを利用して、図３（ｃ）に示したガイド部材１０を取り付ける状態を説明する部分斜視図である。ガイド部材１０を形成する厚紙は、キー８とキー８の間の隙間Ｇに挿入できる厚さを備えており、第１の枠体１１の下部に設けられた突部１１Ｐが隙間Ｇに挿入されて、キーボード９の表面にガイド部材１０が取り付けられる。図４（ｂ）は図４（ａ）の状態からガイド部材１０の第１の枠体１１の下部に設けられた突部１１Ｐが隙間Ｇに押し込まれた状態を示すものである。また、図４（ｃ）は、図３（ｃ）に示したガイド部材１０がキーボード９に取り付けられた状態を示す部分斜視図である。
【００２５】
第１の枠体１１の下部に設けられた突部１１Ｐの長さは、１つの入力キー８の一辺の長さ程度となっている。キー８とキー８の間の隙間Ｇは、厚紙を差し込めるクリアランスを確保できるものであるが、隙間Ｇに差し込む厚紙の長さを長くするといくつかのキー８にまたがって厚紙が差し込まれることになる。ところが、キーボード９のキー８の配列においては、キー８の位置にばらつきがあり、ばらつきが大きい場合には、厚紙を隙間Ｇに差し込むことができなくなる可能性がある。このため、突部１１Ｐの長さは、左右に隣り合った１つのキー８と１つのキー８の間の隙間Ｇに差し込める長さとした。
【００２６】
また、第１の実施例では、第１の枠体１１の下部に設けられた突部１１Ｐに隣接する凹部１１Ｒの長さが、キーボード９のキー８の下方にある筐体の幅Ｄに等しくなっている。ガイド部材１０を突部１１Ｐを隙間Ｇに挿入しただけでキーボード９に固定すると、突部１１Ｐが隙間Ｇ内を移動することによってガイド部材１０のキーボード９に対する位置がずれてしますう。そこで、隙間Ｇに厚紙を差し込むことによってガイド部材１０の左右方向のズレを固定し、突部１１Ｐに隣接して設けた凹部１１Ｒでキーボード９のキー８の下方にある筐体を挟み込むことにより、ガイド部材１０の前後方向のズレを防止している。
【００２７】
図５は、図４（ｃ）に示したガイド部材１０に手Ｈが載せられる状態を示す説明図である。また、図６はキーボード９の入力キー８に対するガイド部材１０の取付位置と生体認証デバイス１の位置、及びガイド部材１０に置かれた人の手Ｈに対する生体認証デバイス１の位置を説明する部分平面図である。
【００２８】
従来のプラスチック材料であれば、手首ガイドに幅を持たせることにより手首を置く時の不快感はなかった。しかし、厚紙で組み立てたガイド部材では、手首を置く部分が厚紙１枚のような形状であると、手首を置いた時の不快感や、手首を置く前から視覚的に痛そうと感じられる。そこで、第１の実施例のガイド部材１０では、第３の枠体１３の手首ガイド１３Ｗの部分に手首ガイド板１５を設け、厚紙で組み立てた時に幅を持たせる形状とすることにより、前述の不快感や視覚的に不利な状況をなくした。
【００２９】
また、従来のプラスチック材料であれば強度を確保するための形状を確保することは容易であった。一方、厚紙を使用して、組み立てたガイド部材では、手首ガイドに乗せる手首と指ガイドに乗せる指の重量にも耐えられる強度を確保するために、本実施例のガイド部材１０では、手首ガイド１３Ｗの下部を机上に、指ガイド１２Ｆの下部をキーボード面に設置した。
【００３０】
図７（ａ）は本出願の第１の実施例のガイド部材１０の脚部Ｌ２の部分の部分平面図を示している。図７（ｂ）はキーボード９がチルトしていない時のガイド部材１０の状態を示す部分斜視図であり、図７（ｃ）はキーボード９がチルトしている時のガイド部材１０の状態を示す部分斜視図である。キーボード９の場合は、チルト足３０でキーボード９の角度を変化させることが可能である。このような場合でも、第１の実施例のガイド部材１０では、手首ガイドの下部がキーボード９が置かれた面又は机上の接地する脚部Ｌ２（脚部Ｌ１は図示されず）に角度を付けることにより、チルト足３０でキーボード９の角度が変化した場合にも強度を確保できるようになっている。
【００３１】
図８は本出願の第２の実施例のガイド部材２０の平面図である。第２の実施例のガイド部材２０も板状部材を打ち抜き型で打ち抜いて形成することができるが、本実施例では板状部材として厚紙が使用されている。第２の実施例のガイド部材２０は、図１０に示すように、生体認証デバイス１が備えられたノートブック型のコンピュータのキーボード部分４１に取り付けて使用することができるものである。図８に示した厚紙を組み立てると、図１０に示す形状のガイド部材２０となる。
【００３２】
第２の実施例のガイド部材２０のガイド枠は、第１の実施例のガイド部材１０同様に、第１の枠体２１、第２の枠体２２、第３の枠体２３及び第４の枠体２４を備えている。第１の枠体２１がキーボード部分４１の上に設置される部分であり、第２の枠体２２がキー８と筐体４２の間の隙間Ｇに挿入される部分を備えている。また、第３の枠体２３と第４の枠体２４はコンピュータ４０が置かれる面又は机上に設置される。
【００３３】
第２の枠体２２には手の指を載せるための指ガイド２２Ｆがあり、第３の枠体２３には手首を載せるための手首ガイド２３Ｗがある。第２の実施例でも手首ガイド２３Ｗには手首ガイド板２５を設けて幅を持たせている。また、第２の実施例のガイド部材２０にも、手首ガイド板２５に隣接させて遮蔽板２６が設けられている。更に、遮蔽板２６には突片Ｐ５を備えた支持板２９が設けられている。
【００３４】
第３の枠体２３の手首ガイド板２５と反対側の辺には、補強板２７が第３の枠体２３の一部として設けられている。第３の枠体２３の中央部には、支持板２９にある突片Ｐ５を挿入するスリットＳ５が設けられている。図８でも、実線は厚紙の端部、或いは切り込み部を示しており、破線が厚紙を山折りする山折部ｍ１〜ｍ８を示している。従って、手首ガイド板２５が山折部ｍ３，ｍ４で山折りされ、支持板２９が山折部ｍ８で山折りされると、突片Ｐ５がスリットＳ５に挿入できる。
【００３５】
一方、補強板２７の両側には突片Ｐ６、Ｐ７が設けられており、第１の枠体２１と第４の枠体２４にはそれぞれスリットＳ６，Ｓ７が設けられている。第１と第４の枠体２１、２４がそれぞれ山折部ｍ１，ｍ２で山折りされ、補強板２７が山折部ｍ５で山折りされると、突片Ｐ６、Ｐ７がそれぞれスリットＳ６、Ｓ７に挿入できる。
【００３６】
更に、第４の枠体１４の自由端側には接続代２８があり、第４の枠体２４と接続代２８の山折部ｍ７に細いスリットＳ８が設けられている。山折部ｍ１とｍ２で第１の枠体２１と第４の枠体２４を第３の枠体２３に対して山折りし、山折部ｍ６で第２の枠体２２を第１の枠体２１に対して山折りし、山折部ｍ７とｍ８で接続代２８と突片Ｐ８を山折りすれば、スリットＳ８に突片Ｐ８を挿入できる。
【００３７】
また、第２の実施例のガイド部材２０は、山折部ｍ１で第１の枠体２１と第２の枠体２２を第３の枠体２３と第４の枠体２４側に山折りし、その後に山折部ｍ３で手首ガイド板２５と遮蔽板２６及び支持板２９を山折りすれば、図９に示す形状になり小型になる。しかも折畳んだ図９に示す形状の第２の実施例のガイド部材２０は厚紙３枚分の厚さしかないのでかさばらずコンパクトになる。
【００３８】
第１の枠体２１と第４の枠体２４及び第３の枠体２３と補強板２７の境界部分には、第２の実施例のガイド部材２０が組み立てられてコンピュータのキーボード部分に取り付けられた時に、第１の枠体２１と第３の枠体２３及び第４の枠体２４を机上等のコンピュータが置かれた面に支持する脚部Ｌ３〜Ｌ５がある。脚部Ｌ３〜Ｌ５の接地部分は平坦になっている。コンピュータのキーボード部分４１は一般に傾斜しないからである。
【００３９】
以上説明したように、厚紙を使用して、組立式の生体認証用ガイドとしたことにより、従来のプラスチック材料を使用したガイド部材と同等の性能、ユーザビリティを確保しつつ、安い開発費用と短い開発期間で開発可能である。また、出荷時のスペースを取らずに、無駄な梱包部材も必要なく、使用しない時には邪魔にならないで収納することができ、コンピュータやキーボードに生体認証装置が内蔵された場合も位置ズレせずに固定が可能となる。
【００４０】
以上、本出願を特にその好ましい実施の形態を参照して詳細に説明した。本出願の容易な理解のために、本出願の具体的な形態を以下に付記する。
【００４１】
（付記１）  入力キー及び生体認証デバイスを備えた入力装置の表面に対して取り付け可能で、当該デバイスに対する認証位置を案内するガイド枠を備えたガイド部材。
（付記２）  前記生体認証デバイスは前記入力装置の表面の端部に配置されており、前記ガイド部材を前記入力装置の表面に取り付けた時に、前記ガイド枠が前記生体認証デバイスの周縁部に位置して撮像する手のひらの撮像位置を明示することを特徴とする付記１に記載のガイド部材。
（付記３）  前記ガイド部材は、前記ガイド枠を前記入力装置の表面に対して取り付ける第１の枠体、前記第１の枠体に隣接して上部に指ガイドを備える第２の枠体、前記第１の枠体に隣接して上部に手首ガイドを備える第３の枠体、及び前記第１の枠体に対向する第４の枠体を備えていることを特徴とする付記１又は２に記載のガイド部材。
（付記４）  前記第１の枠体が前記入力装置の表面に取り付けられた状態で、前記第２の枠体は前記入力装置の表面の上に設置され、前記第３の枠体は前記入力装置が置かれた面に脚部によって設置されることを特徴とする付記３に記載のガイド部材。
（付記５）  前記脚部の前記面に対する接地部分に角度が付されており、前記入力装置がキーボードである場合に、前記キーボードの表面の前記面に対する角度がチルト足で変化しても、前記手首ガイド部上に手首が置かれた場合の強度を確保することを特徴とする付記４に記載のガイド部材。
【００４２】
（付記６）  前記ガイド枠は、前記第１の枠体が前記入力キーのキーとキーの間の隙間に挿入できる厚さを備えた板状部材で形成されており、前記第１の枠体はその下部が前記隙間に挿入されて前記入力装置の表面に取り付けられることを特徴とする付記３から５の何れかに記載のガイド部材。
（付記７）  前記第１の枠体の下部の前記隙間への挿入部の長さは、前記入力キーの１つのキーの一辺の長さ以下としたことを特徴とする付記６に記載のガイド部材。
（付記８）  前記第１の枠体の前記挿入部の前記第３の枠体側には、前記入力装置の前記手首ガイド側に位置する筐体を挟みこむ係止凹部が設けられていることを特徴とする付記７に記載のガイド部材。
（付記９）  前記手首ガイドは前記第３の枠体に隣接して設けられた手首ガイド板を前記指ガイド方向に折り曲げて幅を持たせた形状となっていることを特徴とする付記３から８の何れかに記載のガイド部材。
（付記１０）  前記板状部材が厚紙であり、前記ガイド枠を前記厚紙を折り曲げて組み立てることによって形成されることを特徴とする付記９に記載のガイド部材。
【００４３】
（付記１１）  前記厚紙には光の反射の少ない色の厚紙が使用され、前記手首ガイドを備える前記第３の枠体には、前記手首ガイド組立時に露出する前記厚紙の端面が前記生体認証デバイス側から見えなくする遮蔽板が設けられていることを特徴とする付記９に記載のガイド部材。
（付記１２）  前記ガイド部材は、前記ガイド枠を構成する前記第１から第４の枠体、前記手首ガイド板及び前記遮蔽板は１枚の厚紙を打ち抜き型で打ち抜いて形成されており、所定部分を折り曲げて重ね合わせることが可能になっていることを特徴とする付記１１に記載のガイド部材。
【符号の説明】
【００４４】
１    生体認証デバイス
１０    第１の実施例のガイド部材
１１，２１    第１の枠体
１２，２２    第２の枠体
１３，２３    第３の枠体
１４，２４    第４の枠体
１５、２５    手首ガイド板
１６、２６    遮蔽板
Ｐ１〜Ｐ８    突片
Ｓ１〜Ｓ８    スリット
Ｍ１〜Ｍ７，ｍ１〜ｍ７    山折部
Ｖ１〜Ｖ５    谷折部
【図１】
0005903995.tif 000002
【図２】
0005903995.tif 000003
【図３】
0005903995.tif 000004
【図４】
0005903995.tif 000005
【図５】
0005903995.tif 000006
【図６】
0005903995.tif 000007
【図７】
0005903995.tif 000008
【図８】
0005903995.tif 000009
【図９】
0005903995.tif 000010
【図１０】
0005903995.tif 000011